(57)【要約】【課題】装飾性に優れ、配置換えや交換が容易であると共に、植物等の上を人間等が歩行可能にし、さらには狭い空間を有効利用可能な植物栽培コンテナ及びその植物栽培コンテナ群を提供する。【解決手段】少なくとも底板と外周壁を有し、上方が開口した植物栽培コンテナにおいて、該植物栽培コンテナ内の上部にユニット載置空間を形成すると共に、該植物栽培コンテナ内の下部に育成材充填空間を形成する植物栽培コンテナ。例えばユニット載置空間及び育成材充填空間は、植物栽培コンテナ内にユニット支持部を設け、該ユニット支持部のユニット材支持部分で区画することで形成する。さらに前記植物栽培コンテナを複数敷設し、該植物栽培コンテナに複数種類のユニット材を選択的に載置して植物栽培コンテナ群とすると好適である。【選択図】図２
2004290210.tif 000002
【特許請求の範囲】
【請求項１】
少なくとも底板と外周壁を有し、上面が開口した植物栽培コンテナにおいて、該植物栽培コンテナ内の上部をユニット載置空間、その下部を育成材充填空間とし、該植物栽培コンテナ内に複数の柱状のユニット支持部を設け、該ユニット支持部として、底板から側板に沿って立設する側面ユニット支持部と、底板から立設する底面ユニット支持部とを設けることを特徴とする植物栽培コンテナ。
【請求項２】
少なくとも底板と外周壁を有し、上面が開口した植物栽培コンテナにおいて、該植物栽培コンテナ内の上部をユニット載置空間、その下部を育成材充填空間とし、該植物栽培コンテナ内に複数の柱状のユニット支持部を設け、該ユニット支持部を、平面視略十字形、平面視略Ｌ字形若しくは平面視略Ｉ字形、若しくはこれらの組み合わせとし、該複数のユニット支持部を不規則に配列して立設することを特徴とする植物栽培コンテナ。
【請求項３】
前記植物栽培コンテナの底板に、余剰水を排水する通水孔を形成することをと特徴とする請求項１又は２記載の植物栽培コンテナ。
【発明の詳細な説明】
【技術分野】
【０００１】
本発明は、屋上、ベランダ等における緑化対策の一貫として使用する植物栽培コンテナに関する。
【背景技術】
【０００２】
現代社会における都市部には自然が不足しているが、人間の自然に対する希求に応えて自然不足を補うべく、都市部における緑化対策が図られている。かかる緑化対策はビルの屋上、ベランダ、テラス、イベント会場等を人工的に緑化することで行われているが、その緑化対策に関する具体的な発明として、例えば特許文献１に床面に載置可能な平坦状の内底板の周縁に沿って枠板を立設して、その内部に芝を植え込むブロック箱体が開示されている。
【０００３】
しかしながら、上記ブロック箱体は芝を敷設可能に構成されているが、装飾性に欠けているという不具合が生じていた。そのため、かかる装飾性の欠如を改善するために、例えば特許文献２に板体嵌合枠と芝生植え込み枠を一体に形成した緑化用枠体が開示されており、前記緑化用枠体では植物だけでなく、板体を組み合わせることによって、装飾性を向上させることが可能に構成されている。
【０００４】
また、同様に装飾性を向上できるものとして、例えば特許文献３には、ライト、植木などをプランターによってユニット化にすることにより、様々なレイアウトを実現可能にしたシステムプランターが開示されている。
【０００５】
尚、その他の関連技術として特許文献４〜８がある。
【０００６】
【特許文献１】実公平１−２５５５８号
【特許文献２】特開平１１−４６５８０号
【特許文献３】特開平６−１４１６８５号
【特許文献４】特開平９−５１８２７号
【特許文献５】実開平４−１２９７５１号全文明細
【特許文献６】実開平５−８７００５号全文明細
【特許文献７】特開平１０−９８９５０号
【特許文献８】特開平８−７０７１８号
【発明の開示】
【発明が解決しようとする課題】
【０００７】
ところが、特許文献２の緑化用枠体に関する技術は、板体嵌合枠と芝生植え込み枠を一体に形成しているため、そのレイアウトが固定されてしまい、気分転換等のための配置換え等を行うことができず、面白みに欠けている。
【０００８】
また、特許文献３のシステムプランターに関する技術は、上記配置換えは容易に行うことができるが、配置換えやユニットの交換の時にプランター全体を移動しなければならず、多大な労力及び費用を費やす必要がでてくる。
【０００９】
さらに、上記従来例を観賞用・縁取り用の植物に対して使用する場合、近年の住宅事情においては狭いベランダ等で使用されることが想定されるが、かような使用によって人間等が移動可能な範囲がより狭くなってしまい、ベランダ等を有効利用できなくなってしまうという不具合が生じていた。
【００１０】
本発明は上記のような不具合を解消するためになされたものであって、装飾性に優れ、配置換えや交換が容易であると共に、植物等の上を人間等が歩行可能にし、さらには狭い空間を有効利用可能な植物栽培コンテナを提供することを目的とする。
【課題を解決するための手段】
【００１１】
本発明の植物栽培コンテナは、少なくとも底板と外周壁を有し、上方が開口した植物栽培コンテナにおいて、該植物栽培コンテナ内の上部にユニット載置空間を形成すると共に、該植物栽培コンテナ内の下部に育成材充填空間を形成することを特徴とする。
【００１２】
さらに上記植物栽培コンテナは、ユニット載置空間と育成材充填空間を形成するためのユニット支持部を備えるようにし、例えば前記植物栽培コンテナ内にユニット支持部を設け、該ユニット支持部のユニット材支持部分で区画することで、前記ユニット載置空間及び前記育成材充填空間を形成することを特徴とする。前記ユニット載置空間はユニット支持部の上端部より上方に形成され、前記育成材充填空間はユニット支持部の上端部よりも下方に形成される。
【００１３】
ここで、前記ユニット支持部は複数の柱状部材とし、さらには前記柱状部材を不規則に立設して配置すると好適である。又前記複数の柱状部材は頂部に平面部を有し、該平面部の形状を少なくとも２種類以上とすると好適である。又前記ユニット支持部を植物栽培コンテナ本体に一体形成すると良好である。
【００１４】
また上記植物栽培コンテナは、少なくとも裏面に凸部が形成されたユニット材が、前記凸部と植物栽培コンテナ本体内に設けられたユニット支持部とで位置決め可能に載置される、例えば該凸部が前記ユニット支持部間に挟まれた状態で載置されることを特徴とする。又前記底板に吸水孔が設けられていると共に、上方が開放した貯水槽トレー上に載置される構成であることを特徴とする。
【００１５】
そして、植物栽培コンテナ群は、少なくとも底板と外周壁を有し、上方が開口した植物栽培コンテナにおいて、該植物栽培コンテナ内の上部にユニット載置空間を形成すると共に、該植物栽培コンテナ内の下部に育成材充填空間を形成する植物栽培コンテナを複数敷設し、該植物栽培コンテナに複数種類のユニット材を選択的に載置する。即ち、複数の植物栽培コンテナの内の任意の植物栽培コンテナに任意のユニット材が選択的に載置可能に構成されており、少なくとも２種類以上のユニット材を選択的に載置するものである。この植物栽培コンテナ群に使用する植物栽培コンテナは、上記したような植物栽培コンテナの中から必要なものを適宜選択して使用できる。
【発明の効果】
【００１６】
本発明の植物栽培コンテナは、優れた装飾性を実現でき、容易に配置換えや交換を行うことができると共に、植物等の上を人間等が歩行できるようにし、さらには狭い空間を有効利用することが可能になるという効果を有する。
【００１７】
また、植物栽培コンテナ本体内の上部空間をユニット載置空間とし、下部を育成材充填空間として形成することで、配置換えやユニット材の交換を行う際に、上部に載置されているユニット材を取り除いて新しいユニット材を載置するだけで行うことができ、その労力や費用を削減することが可能となる。
【００１８】
また、上記ユニット載置空間内に載置されるユニット材を支持するユニット支持部をコンテナと別体又は一体形成することで、ユニット材上部を人等が歩行する際に上からの圧力を植物栽培コンテナ本体全体で受けることができると共に、強固にユニット材を保持できる。前記ユニット支持部は植物栽培コンテナと一体形成する方がより強固にユニット材を保持可能であって好適である。
【００１９】
また、上記ユニット材の裏面に凸部を形成し、ユニット支持部間等に嵌め込む構成とすることで、位置決めが容易となると共に、人等の歩行によるユニット材の前後左右の移動が強固に規制される。
【００２０】
また、上記ユニット支持部を植物栽培コンテナ本体の底板から立設する複数の柱状部材で構成することで、上からの圧力に対して、個々独立した柱状部材が歩行による圧力を分散して受けることになるので、高い強度を発揮し、植物栽培コンテナの破損を防止できる。
【００２１】
さらに、前記柱状部材は不規則な配列で、又は頂部の平面部の形状が少なくとも２種類以上からなるもので立設して構成することで、ユニット材が芝材等の場合に芝刈り機等の車輪が柱状部材間に嵌まってしまい、別方向への転換を困難にするという不具合を解消し、その方向転換或いは移動をスムーズにできるようになると共に、上からの圧力に対して様々な角度から植物栽培コンテナの破損を防止できる。
【００２２】
また、上記植物栽培用コンテナを貯水トレーの上に載置するように構成することで、給水回数を少なくすることが可能となる。
【００２３】
また、上記ユニット材を少なくとも２種類以上で構成することで、上記植物栽培コンテナを複数敷設して植物栽培コンテナ群を形成する場合に、上記ユニット材を選択して様々なレイアウトの緑化エリアを作り出すことを可能にすると共に、気分転換等でのレイアウト変更、又はユニット材等の破損時の交換を容易にできる。
【発明を実施するための最良の形態】
【００２４】
以下、本発明の植物栽培コンテナ及びその植物栽培コンテナ群の具体的な実施形態例について、図面に沿って説明する。図１から図５は本発明の第１実施形態例の植物栽培コンテナを示し、図１は植物栽培コンテナの平面図、図２は植物栽培コンテナの斜視図、図３は植物栽培コンテナのＡ−Ａ矢視断面図、図４は植物栽培コンテナへのユニット材載置作業説明図、図５は植物栽培コンテナへのユニット材載置状態を示す断面図である。
【００２５】
図に於いて植物栽培コンテナ１は、主として底板２と外周壁をなす側板３とを有し、上方が開口するように形成されている。前記底板２には通水兼通気孔４が設けられていると共に、底板２の外面には脚部５が形設されている。前記側板３には内向きへこみ部６が形成されていると共に、側板３の内面には（側面）ユニット支持部７（７１）が設けられている。
【００２６】
前記通水兼通気孔４は底板２の所定箇所に複数設けられ、植物栽培コンテナ１内の水分を下方へ排出でき、且つ下方から植物栽培コンテナ１内に通気できるようになっている。通水兼通気孔４の数、形状、場所等は、実施形態例に限定されるものではなく、様々な数、形状、場所であってよい。なお通水兼通気孔４を設けることは好適な構成であるが、通水兼通気孔４を設けない構成とすることも可能である。
【００２７】
前記脚部５は底板２の外面から下方に延びて形設され、通気及び通水（排水）をより良くするようになっている。脚部５の形状、場所及び個数等は本実施形態例に限定されるものではないが、底板２の略中央部に設けるようにすると、底板２に対する上方からの圧力に対する抵抗力・耐久力が高まり、より強固に植物栽培コンテナ１本体を保持することが可能となる。
【００２８】
前記内向きへこみ部６は側板３において、底板２から植物栽培コンテナ１の開口である上方へ向かうほど或いは上方へ向かう途中で、植物栽培コンテナ１の開口面積が大きくなるように形成されている。内向きへこみ部６を形成することによって、植物栽培コンテナ１を複数敷設した場合に、植物栽培コンテナ１の下方及び側方における通気及び通水（排水）が良好になる。なお内向きへこみ部６を形成すると好適であるが、内向きへこみ部６を設けない構成とすることも可能であり、また、例えば底板２から上方にかけて側板３を斜めに形成して、開口面積が上方に向かうに従って漸次増大するようなテーパ状の側板３としても好適である。
【００２９】
前記（側面）ユニット支持部７は水平方向の板状で、ユニット材支持部分である上端に位置する平面部７ａを有し、側板３から植物栽培コンテナ１の中央に向かって突出しており、側板３の全域に一体形成されている。植物栽培コンテナ１内の空間はユニット支持部７の平面部７ａを境界として分割或いは区画されることになり、図３に示すように、植物栽培コンテナ１内の上部であるユニット支持部７から上方にユニット載置空間８が形成されると共に、植物栽培コンテナ１内の下部であるユニット支持部７から下方に育成材充填空間９が形成される。なおユニット支持部７及びユニット材支持部分の形状、形成状態等は上記構成以外でも、本発明の趣旨の範囲内で適宜である。
【００３０】
そして、上記植物栽培コンテナ１に育成材９０及びユニット材８０を載置するが、これは図４及び図５に示すように、まず最初に植物栽培コンテナ１本体内の下方に設けられた育成材充填空間９に、育成材充填空間９の上端であるユニット支持部７の位置まで育成材９０を充填し、その後ユニット材８０として例えばウッドデッキ等の板材（板状体）８１をユニット支持部７上に載置する。
【００３１】
前記育成材９０はどのようなものであってもよいが、屋上、或いはベランダ等に敷設する場合は、出来るだけ軽量であればより良く、パーライト、バーミキュライト、ピートモス、バーク堆肥、チャフコン、木質腐朽有機物、ゼオライト等が考えられる。また上記育成材の内の数種類を、又は必要と思われる根腐れ防止用の珪酸塩白土などを植栽の種類、環境などに応じて適宜選定し、これを保水性、排水性を良好にするためバランスよく配合した軽量育成材等が考えられる。かかる通気性良好な軽量育成材を採用することにより、植物の根が傷むことを防止できる。これらの軽量育成材による荷重は、従来の客土の約１／３であり、敷設面への荷重付加を軽減することができる。
【００３２】
また前記育成材９０は、施工現場で充填するようにしても良いが、予め工場などで充填し、現場ではユニット材８０を載置するだけの状態で敷設するようにしてもよく、この場合は、育成材９０を育成材充填空間９に充填してプレス機をかけた後に、少なくとも育成材９０の上面をバインダ処理することが望ましく、例えば、ポバールなどをお湯でとかした液体を育成材９０上に吹き付けて処理、アルギン酸溶液やでんぷん溶液等を散布し、バインダ粉の散布後にその散布面に温水等の水分を供給散布して処理、又はバインダシート等を載置してそのシート上面に温水などの水分を供給散布して処理すること等が考えられ、前記様々な処理後に表面を自然乾燥或いは強制乾燥等して乾燥処理する。
【００３３】
なお前記バインダ処理は、植物育成条件や育成材９０の混合物の性質、特長などを考慮して適宜選定する。そして、バインダ処理により、少なくとも育成材９０の表面が固定化されるので、育成材９０の飛散、移動が防止でき、運搬などの取り扱いが極めて容易となる。
【００３４】
上記植物栽培コンテナ１は、育成材充填空間９とユニット載置空間８が形成されているため、育成材９０を充填する際の目安としてユニット支持部７まで充填すればよく、育成材９０の充填作業が容易となると共に、植物栽培コンテナ１を複数敷設した場合に、ユニット支持部７を設けたことで、植物栽培コンテナ１相互間においてユニット材８０の上端の高低差が生じにくくなり、且つユニット材８０のがたつきが生じにくくなる。
【００３５】
さらに、ユニット材８０上部からの踏圧は、（側面）ユニット支持部７により受けることができるため、育成材９０が極端に圧縮されることがなく、ユニット材８０の傾きやがたつきを防止することができる。なおユニット支持部７は上記板状のものの他、後述するような柱状部材でも良好であり、壁状部材等適宜もののが使用可能である。
【００３６】
次に植物栽培コンテナの他の実施形態について説明する。図６及び図７は本発明の第２実施形態例の植物栽培コンテナを示し、図６は本発明の第２実施形態例の植物栽培コンテナの平面図、図７は本発明の第２実施形態例の植物栽培コンテナの斜視図であり、上記第１実施形態例と異なる箇所を中心に以下説明する。
【００３７】
本実施形態例の（側面）ユニット支持部７（７１）は、植物栽培コンテナ１の底板２から側板３に沿って所定箇所に複数立設した柱状部材で、その頂部には略十字形、及び略Ｉ字形で水平の平面部７ａが形成されており、前記平面部７ａ上でユニット材８０の底面を支持する構成である。これにより、本実施形態例も上記第１実施形態例と同様に、ユニット支持部７の平面部７ａによって分割或いは区画され、ユニット載置空間８と育成材充填空間９が形成されることとなる。
【００３８】
上記第２実施形態例の植物栽培コンテナ１を使用することにより、ユニット材８０の上部からの踏圧を植物栽培コンテナ１の側板３及び底板２で支持することができると共に、前記ユニット支持部７が植物栽培コンテナ１の底板２及び側板３に設けられた内向きへこみ部６上で支持されるため、ユニット支持部７の強度が増し、且つ、ユニット支持部７への踏圧を側板３で分散することができ、より強固に載置されるユニット材８０を支持可能となる。
【００３９】
また、図８及び図９は本発明の植物栽培コンテナの第３実施形態例を示し、図８は第３実施形態例の植物栽培コンテナの平面図、図９は第３実施形態例の植物栽培コンテナの斜視図であり、上記第１実施形態例及び第２実施形態例と異なる箇所を中心に以下説明する。
【００４０】
本実施形態例の（底面）ユニット支持部７（７２）は、植物栽培コンテナ１の底板２から不規則な配列で立設した複数の柱状部材で、頂部に円形の平面部７ａを形成され、前記平面部７ａ上でユニット材８０の底面を支持する構成である。本実施形態例も上記第１実施形態例、第２実施形態例と同様に、ユニット支持部７の平面部７ａによって分割或いは区画され、ユニット載置空間８と育成材充填空間９が形成されている。
【００４１】
上記第３実施形態例の植物栽培コンテナ１を使用することにより、（底面）ユニット支持部７が植物栽培コンテナ１の底板２に複数不規則に立設しているため、ユニット材８０の上部からの踏圧を植物栽培コンテナ１の底板２で分散することができ、ユニット材８０全面を強固に支持できる。
【００４２】
また、図１０及び図１１は本発明の植物栽培コンテナの第４実施形態例を示し、図１０は第４実施形態例の植物栽培コンテナの平面図、図１１は第４実施形態例の植物栽培コンテナの斜視図であり、上記第１実施形態例、第２実施形態例及び第３実施形態例と異なる箇所を中心に以下説明する。
【００４３】
本実施形態例は、上記第２実施形態例及び第３実施形態例を合わせた構成であり、側面ユニット支持部７１は底板２から側板３に沿って所要箇所に複数立設する柱状部材で、頂部に略十字形及び略Ｉ字形の平面部７１ａが形成されていると共に、底面ユニット支持部７２は底板２で且つ側面ユニット支持部７１が立設した箇所以外に立設する複数の柱状部材で、頂部に円形の平面部７２ａが形成されている。水平である平面部７１ａと平面部７２ａは略同じ高さで略同一平面を形成し、前記平面部７１ａ、７２ａによって分割或いは区画され、ユニット載置空間８と育成材充填空間９が形成されており、ユニット材８０の底面は前記略十字形の平面部７１ａと円形の平面部７２ａで支持する構成である。
【００４４】
上記第４実施形態例の植物栽培コンテナ１を使用することにより、側面ユニット支持部７１が所要箇所に、且つ底面ユニット支持部７２が底板２に複数不規則に立設し、２種類の平面部７１ａ、７２ａが多数形成されているため、ユニット材８０上部等あらゆる角度からの踏圧に対して、ユニット材８０全面を強固に支持できる。またユニット材８０が芝材８２である場合、芝刈り機等の車輪がユニット支持部７である柱状部材間に嵌まってしまい、別方向への転換を困難にするという不具合を解消でき、芝刈り機等の方向転換或いは移動をスムーズにできる。
【００４５】
また、図１２から図１８までは本発明の植物栽培コンテナの第５実施形態例を示し、図１２は第５実施形態例の植物栽培コンテナの平面図、図１３は第５実施形態例の植物栽培コンテナの斜視図、図１４は第５実施形態例の植物栽培コンテナの育成材充填状態の斜視図、図１５は第５実施形態例の植物栽培コンテナへのユニット材（板材）載置作業説明図、図１６は第５実施形態例の植物栽培コンテナへのユニット材（板材）載置状態を示す斜視図、図１７は第５実施形態例の植物栽培コンテナへのユニット材（芝材）載置作業説明図、図１８は第５実施形態例の植物栽培コンテナのユニット材（芝材）載置状態を示す斜視図であり、上記第１乃至４実施形態例と異なる箇所を中心に以下説明する。
【００４６】
本実施形態例は上記第４実施形態例と類似し、側面ユニット支持部７１は底板２から側板３に沿って所定箇所に複数立設した柱状部材で、頂部に略十字形の平面部７１ａが形成されていると共に、底面ユニット支持部７２は前記側面ユニット支持部７１が立設した箇所以外で且つ底面から複数立設する柱状部材で、頂部には平面視で略十字形、略Ｌ字形、略逆Ｌ字形、略Ｉ字形等様々な形状の平面部７２ａが形成されている。平面部７１ａ、７２ａは略同じ高さで水平に略同一平面を形成し、前記平面部７１ａ、７２ａによって分割或いは区画され、ユニット載置空間８と育成材充填空間９が形成され、ユニット材８０の底面は前記平面部７１ａと平面部７２ａで支持する構成である。
【００４７】
さらに底板２には頂部に吸水孔１０ａを設けられた下向き凸部１０が形成されており、前記下向き凸部１０によって、ユニット材８０の上部からの踏圧に対して、植物栽培コンテナ１全体の歪みを防止するように構成されている。即ち、ユニット材８０上部からの踏圧を側面ユニット支持部７１と底面ユニット支持部７２の両方で支持して、側面ユニット支持部７１にかかる圧力は側板３或いは側板３及び底板２で分散し、底面ユニット支持部７２にかかる圧力は底板２で分散すると共に、側板３にかかる圧力は側板３の下方に設けられた脚部５により受け、底板２の略中央部付近の圧力を前記下向き凸部１０で受けるように形成されている。
【００４８】
そして、図１４に示すように、植物栽培コンテナ１の育成材充填空間９に育成材９０を充填する場合、それぞれユニット支持部７１、７２の頂部である平面部７１ａ、７２ａが育成材９０の上部よりも僅かに高くなるように育成材９０を充填すればよく、育成材９０の充填量を容易に確認することができるようになっている。また、上記植物栽培コンテナ１内の育成材充填空間９に育成材９０を充填した後に、ユニット材８０として板材８１（木材、石材、鉄材、プラスチック材等材質は問わない）或いは図１７及び図１８に示すような芝生８２ａを有する芝材８２（天然芝、人工芝等問わない）等を上部から載置するだけで、植物栽培コンテナ１が完成するように構成されている。
【００４９】
以上のように第５実施形態例の植物栽培コンテナ１を使用することにより、植物栽培コンテナ１本体の強度が増すと共に、ユニット材８０上部からの圧力を分散して受けることができ、植物栽培コンテナ１本体やユニット材８０の歪みや破損を極力防止することができる。また、ユニット材８０を交換するだけで、植物栽培コンテナ１を使用して植物の栽培ができ、或いはデザインデッキの載置や交換を容易にすることができる。ユニット材８０が万一破損した場合も容易に新しいユニット材８０と交換することが可能であり、労力や費用面を軽減することができる。
【００５０】
また、図１９から図２４までは上記第５実施形態例の植物栽培コンテナ１に様々なユニット材を載置する場合を示し、図１９は第１変形例のユニット材裏面を示す斜視図、図２０は植物栽培コンテナへ第１変形例のユニット材を載置した状態を示す平面図、図２１は第２変形例のユニット材裏面を示す斜視図、図２２は植物栽培コンテナへ第２変形例のユニット材を載置した状態を示す平面図、図２３は第３変形例のユニット材裏面を示す斜視図、図２４は植物栽培コンテナへ第３変形例のユニット材を載置した状態を示す平面図である。
【００５１】
図１９から図２４のユニット材８０は板材８１で、前記ユニット材８０には裏面に凸部８０ａが形成されており、この凸部８０ａが様々な形状で形成され、植物栽培コンテナ１内に立設している側面ユニット支持部７１或いは底面ユニット支持部７２等の間に挟まるように構成されている。即ち、凸部８０ａが側面ユニット支持部７１或いは底面ユニット支持部７２等の間で狭持され、又は嵌合されることになる。
【００５２】
図１９及び図２０のユニット材８０には、ユニット材８０の裏面に２本の四角柱状の凸部８０ａが形成され、このユニット材８０を植物栽培コンテナ１のユニット載置空間８に載置した場合に、第５実施形態例の植物栽培コンテナ１における一番側板側にある底面ユニット支持部７２と対応する側面ユニット支持部７１間に凸部８０ａが挟まるようになっている。
【００５３】
図２１及び図２２のユニット材８０には、ユニット材８０の裏面に方形枠状の凸部８０ａが形成され、このユニット材８０を植物栽培コンテナ１のユニット載置空間８に載置した場合に、第５実施形態例の植物栽培コンテナ１における一番側板側にある底面ユニット支持部７２と対応する側面ユニット支持部７１間に凸部８０ａが挟まるようになっている。
【００５４】
図２３及び図２４のユニット材８０には、ユニット材８０の裏面に略＃形状の凸部８０ａが形成され、このユニット材８０を植物栽培コンテナ１のユニット載置空間８に載置した場合に、底面ユニット支持部７２間に凸部８０ａが挟まれるようになっている。
【００５５】
上記のようにユニット材８０の裏面に凸部８０ａを形成することにより、ユニット材８０の位置決めが容易となると共に、ユニット材８０上部からの圧力に対して、或いは前後左右等の横方向の圧力に対しても、側面ユニット支持部７１や底面ユニット支持部７２でユニット材８０を良好に支持することが可能となる。
【００５６】
さらに、前記凸部８０ａが植物栽培コンテナ１の育成材充填空間９に充填されている育成材９０内に入り込むようにすることで、育成材９０全体及び植物栽培コンテナ１全体でユニット材８０に対する圧力を受けることとなり、ユニット材８０の安定性が増し、前後左右等の横方向の圧力に特に強くなる。又ユニット材８０の載置状態を維持することで、より馴染んだ状態で植物栽培コンテナ１に載置されることとなる。なお上記凸部８０ａには様々な形状が考えられ、前記第１〜４実施形態例の植物栽培コンテナ１等に適用可能な凸部８１の構成も本発明に含まれる。
【００５７】
また、図２５から２８までは第５実施形態例の植物栽培コンテナの使用例を示し、図２５は第５実施形態例の植物栽培コンテナと貯水トレーを示す斜視図、図２６は第５実施形態例の植物栽培コンテナと貯水トレーとユニット材の育成材がない状態での載置作業説明図、図２７は第５実施形態例の植物栽培コンテナと貯水トレーとユニット材の育成材がない状態での載置状態を示す断面図、図２８は第５実施形態例の植物栽培コンテナと貯水トレーとユニット材に育成材を充填した状態での載置状態を示す断面図である。
【００５８】
上記使用例は、底面灌水型である第５実施形態例の植物栽培コンテナ１を貯水トレー１１上に載置し、前記植物栽培コンテナ１上に凸部８０ａを有するユニット材８０を載置する構成であり、前記植物栽培コンテナ１には底板２の下向き凸部（吸水凸部）１０が設けられ、前記下向き凸部（吸水凸部）１０の頂部には吸水用の吸水孔（開口部）１０ａが形成されている。これにより、貯水トレー１１上に載置された植物栽培コンテナ１は、貯水トレー１１内に貯留されている水分を下向き凸部１０の吸水孔１０ａから毛細管現象により吸水するようになっている。
【００５９】
上記植物栽培コンテナ１を貯水トレー１１上に載置する場合、貯水トレー１１内の水分の上位部（水面）が植物栽培コンテナ１の底板２よりも下方に位置し、下向き凸部１０及び脚部５が水没するように構成し、植物栽培コンテナ１と貯水トレー１１内の水分の上位部（水面）間に空気層を形成する。この空気層内の空気は通水兼通気孔４から育成材９０内に補給され、根腐れを防止し、また、降雨時などの余剰水は通水兼通気孔４を通って貯水トレー１１内に貯留されるようになっている。
【００６０】
上記使用例において育成材９０を充填して使用する場合は、植物栽培コンテナ１を貯水トレー１１内に載置し、この植物栽培コンテナ１の育成材充填空間９内に育成材９０を充填し、上方からユニット載置空間８にユニット材８０を載置することで完成する。
【００６１】
上記のように植物栽培コンテナ１及び貯水槽トレー１１等からなる植物栽培コンテナとして使用することで、ユニット材８０を強固に支持可能であると共に、ユニット材８０が芝材８２である場合に、水分供給回数を極端に軽減することが可能となる。加えて下向き凸部１０によって、植物栽培コンテナ１の底板２にかかる圧力を支えることもできる。
【００６２】
また、図２９は本発明におけるユニット材の第４変形例（ライト材）を示す正面図である。ユニット材８０であるライト材８３は、上記板材８１のユニット材８０と同様に、裏面に凸部８３ａを形成された支持板８３ｂ上に支柱８３ｃが立設し、支柱８３ｃの上部にライト８３ｄが固設された構成である。
【００６３】
上述した各実施形態においては、ユニット材８０として板材８１、芝材８２、ライト材８３について説明したが、これに限定されるものではなく、例えば、ライト８３ｄの代わりに、支持板上に腰掛け、机、時計台、手摺り、支柱、遊具等に使用する支柱等を固定しても良く、その他に、支持板の略中央部に噴水用の開口部を形成し、この噴水用開口部と水道を管で連結し、噴水材のユニット材８０を形成するようにしても良い。又芝材８２のかわりに、植木、花等の植物をユニット材８０として使用するようにしても良い。
【００６４】
上記のような様々なユニット材８０を使用することで、植物栽培コンテナ１を複数敷設した場合に、より様々なレイアウトを楽しむことができ、気分転換等をすることができる。
【００６５】
次に植物栽培コンテナ１を複数敷設し、植物栽培コンテナ群１ａを形成する場合について説明する。図３０から図３２までは植物栽培コンテナ１を複数敷設し、植物栽培コンテナ群１ａを形成する場合の斜視図であり、図３０は植物栽培コンテナ群の一部ユニット非載置状態を示す斜視図、図３１は植物栽培コンテナ群の一部ユニット非載置状態と縁石を示す斜視図、図３２は植物栽培コンテナ群の設置完了状態を示す斜視図である。
【００６６】
図に於いて植物栽培コンテナ群１ａは、第５実施形態例の植物栽培コンテナ１を複数敷設して形成したものであり、複数連設した植物栽培コンテナ１内には必要に応じて各々育成材９０を充填し、ユニット支持部７で支持するようにユニット材８０を載置している。植物栽培コンテナ群１ａの周囲には必要な側辺に沿って縁石１２が敷設されている。前記ユニット材８０は好適には少なくとも２種類以上、例えば板材８１、芝材８２、ライト材８３等からなるようにし、任意の植物栽培コンテナ１に前記ユニット材８０を選択的に載置できるようにする。好適には、上記植物栽培コンテナ群１ａに使用する植物栽培コンテナ１においては、側板３に内向きへこみ部６が形成されているので、前記内向きへこみ部６間及び貯水トレー１１上部に空間部が形成され、前記空間部に給水管を敷設する。
【００６７】
上記植物栽培コンテナ群１ａによって、任意の植物栽培コンテナ１上に様々なユニット材８０を載置することができ、多様な庭園等を形成することが可能となる。加えて、前記植物栽培コンテナ群１ａの端縁を縁石１２等で覆うことによって、よりデザイン性に優れた庭園を提供することができる。また、好適には内向きへこみ部６で形成された空間部に給水管を敷設する構成とし、外観上より優れた植物栽培コンテナ群１ａが形成できる。加えて、前記給水管を水道から電磁弁等を介して自動的に給水できるように構成すれば、給水作業が省け、より容易に植物の栽培をすることができる。
【００６８】
さらに、植物栽培コンテナ群１ａを貯水槽トレー１１上に載置した植物栽培コンテナ１によって形成する場合、例えば貯水トレー１１の側壁に鉤型の連係部を形成すると共に、側壁或いは前記連係部に水流用の凹溝を形成し、それぞれの貯水トレー１１を前記鉤型の連係部により連結する。この連結された貯水トレー群上に育成材９０を充填した植物栽培コンテナ１を載置し、最後に好みのユニット材８０をレイアウトに合わせて載置する。これにより、各貯水トレー１１間を前記凹溝を介して水分が流れ、少なくとも一箇所に水分を補給すれば全貯水トレーに行き渡り、且つ長期間水分補給をする必要が無くなる。好適には前記凹溝を給水管に直交する一方向に規制して設け、水流方向を前記一方向に規制するようにすると前記作用はより顕著となる。
【００６９】
また上記構成においては、複数敷設された前記貯水トレー１１の流水に対して、流水経路の最終端の貯水トレー１１の凹溝がオーバーフロー用の凹溝としての役割を果たし、過剰給水や降雨時等の余剰水をこのオーバーフロー用の凹溝から排出することが可能となる。
【００７０】
以上、本発明の植物栽培コンテナ１及び植物栽培コンテナ群１ａについて説明したが本発明は上記実施形態例等に限定されるものではなく、以下のような拡張及び変形をすることができる。
【００７１】
前記植物栽培コンテナ群１ａにおいて、連結方法として、個々の植物栽培コンテナ１本体に連係部を形成し、連結するように構成してもよく、より植物栽培コンテナ１相互の連結が強固となると共に、安定性が増す。
【００７２】
また、縁石１２はどのような形状であってもよく、植物栽培コンテナ１の側板３を隠す形状であれば良い。また、その他に、縁石１２と植物栽培コンテナ１間にボーダー充填材を埋める構成であっても良い。
【００７３】
また、植物栽培コンテナ１の形状は実施形態例に限定されるものではなく、様々な形状のものであっても良く、例えば円形、半円、三角形、六角形など様々である。
【００７４】
また、ユニット支持部７の構成及び形状は上記実施形態例に限定されるものではなく、ユニット載置空間８と育成材充填空間９を形成可能な構成であればどの様な構成、形状であっても良い。
【００７５】
また、ユニット材８０の裏面に構成される凸部８０ａもどの様な形状、構成であってもよく、ユニット支持部７と挟まる構成、或いは嵌合、係合可能な構成であれば良い。
【産業上の利用可能性】
【００７６】
本発明は、例えば屋上、ベランダ等に設置する植栽設備に利用することができる。
【図面の簡単な説明】
【００７７】
【図１】本発明の第１実施形態例の植物栽培コンテナの平面図。
【図２】本発明の第１実施形態例の植物栽培コンテナの斜視図。
【図３】本発明の第１実施形態例の植物栽培コンテナのＡ−Ａ矢視断面図。
【図４】本発明の第１実施形態例の植物栽培コンテナへのユニット材載置作業説明図。
【図５】本発明の第１実施形態例の植物栽培コンテナへのユニット材載置状態を示す断面図。
【図６】本発明の第２実施形態例の植物栽培コンテナの平面図。
【図７】本発明の第２実施形態例の植物栽培コンテナの斜視図。
【図８】本発明の第３実施形態例の植物栽培コンテナの平面図。
【図９】本発明の第３実施形態例の植物栽培コンテナの斜視図。
【図１０】本発明の第４実施形態例の植物栽培コンテナの平面図。
【図１１】本発明の第４実施形態例の植物栽培コンテナの斜視図。
【図１２】本発明の第５実施形態例の植物栽培コンテナの平面図。
【図１３】本発明の第５実施形態例の植物栽培コンテナの斜視図。
【図１４】本発明の第５実施形態例の植物栽培コンテナの育成材充填状態の斜視図。
【図１５】本発明の第５実施形態例の植物栽培コンテナへのユニット材（板材）載置作業説明図。
【図１６】本発明の第５実施形態例の植物栽培コンテナへのユニット材（板材）載置状態を示す斜視図。
【図１７】本発明の第５実施形態例の植物栽培コンテナへのユニット材（芝材）載置作業説明図。
【図１８】本発明の第５実施形態例の植物栽培コンテナのユニット材（芝材）載置状態を示す斜視図。
【図１９】本発明の第１変形例のユニット材裏面を示す斜視図。
【図２０】植物栽培コンテナへ第１変形例のユニット材を載置した状態を示す平面図。
【図２１】本発明の第２変形例のユニット材裏面を示す斜視図。
【図２２】植物栽培コンテナへ第２変形例のユニット材を載置した状態を示す平面図。
【図２３】本発明の第３変形例のユニット材裏面を示す斜視図。
【図２４】植物栽培コンテナへ第３変形例のユニット材を載置した状態を示す平面図。
【図２５】第５実施形態例の植物栽培コンテナと貯水トレーを示す斜視図。
【図２６】第５実施形態例の植物栽培コンテナと貯水トレーとユニット材の育成材がない状態での載置作業説明図。
【図２７】第５実施形態例の植物栽培コンテナと貯水トレーとユニット材の育成材がない状態での載置状態を示す断面図。
【図２８】第５実施形態例の植物栽培コンテナと貯水トレーとユニット材に育成材を充填した状態での載置状態を示す断面図。
【図２９】本発明におけるユニット材の第４変形例（ライト材）を示す正面図。
【図３０】植物栽培コンテナ群の一部ユニット非載置状態を示す斜視図。
【図３１】植物栽培コンテナ群の一部ユニット非載置状態と縁石を示す斜視図。
【図３２】植物栽培コンテナ群の設置状態を示す斜視図。
【符号の説明】
【００７８】
１  植物栽培コンテナ
１ａ  植物栽培コンテナ群
２  底板
３  側板
４  通水兼通気孔
５  脚部
６  内向きへこみ部
７  ユニット支持部
７１  側面ユニット支持部
７２  底面ユニット支持部
７ａ、７１ａ、７２ａ  平面部
８  ユニット載置空間
８０  ユニット材
８０ａ  凸部
９  育成材充填空間
９０  育成材
１０  下向き凸部
１０ａ  吸水孔
１１  貯水トレー
１２  縁石
【図１】
2004290210.tif 000003
【図２】
2004290210.tif 000004
【図３】
2004290210.tif 000005
【図４】
2004290210.tif 000006
【図５】
2004290210.tif 000007
【図６】
2004290210.tif 000008
【図７】
2004290210.tif 000009
【図８】
2004290210.tif 000010
【図９】
2004290210.tif 000011
【図１０】
2004290210.tif 000012
【図１１】
2004290210.tif 000013
【図１２】
2004290210.tif 000014
【図１３】
2004290210.tif 000015
【図１４】
2004290210.tif 000016
【図１５】
2004290210.tif 000017
【図１６】
2004290210.tif 000018
【図１７】
2004290210.tif 000019
【図１８】
2004290210.tif 000020
【図１９】
2004290210.tif 000021
【図２０】
2004290210.tif 000022
【図２１】
2004290210.tif 000023
【図２２】
2004290210.tif 000024
【図２３】
2004290210.tif 000025
【図２４】
2004290210.tif 000026
【図２５】
2004290210.tif 000027
【図２６】
2004290210.tif 000028
【図２７】
2004290210.tif 000029
【図２８】
2004290210.tif 000030
【図２９】
2004290210.tif 000031
【図３０】
2004290210.tif 000032
【図３１】
2004290210.tif 000033
【図３２】
2004290210.tif 000034